(57)【要約】      （修正有）【課題】交流を電源を使用せず、電源を電池とするとともに、スイッチが別体のキーにより作動することで任意に電源を切れない警報器を提供する。【解決手段】ケース本体４内に、電池とスイッチとブザーとともに、配線の一部が切断されると作動するコネクタ７付きワンショット回路と、前記ブザー６を作動させる発振回路が配設された回路部８を納めた警報器１に、導線を内包させた係留紐１５とスイッチキー１６を組み合わせる。【選択図】図１
0003106348.tif 000002
【実用新案登録請求の範囲】
【請求項１】
取り付け部材を備えたケース本体内に、電池とスイッチとブザーとともに、配線の一部が切断されると作動するコネクタ付きワンショット回路と、前記ブザーを作動させる発振回路が配線されて成る回路部を納めた警報器において、前記コネクタに通電性ある一定の長さの係留紐を組み合わせて成る構成を特徴とする盗難防止用警報器。
【請求項２】
前記スイッチが、抜き差し可能なスイッチキーにより作動する構成である請求項１に記載する盗難防止用警報器。
【考案の詳細な説明】
【技術分野】
【０００１】  本考案は、警報器に連結される作動紐が抜けたり切断されることで警報ブザーが鳴り、かつ電源はスイッチキーにより操作できる洗濯物等の盗難防止用警報器に関する。
【背景技術】
【０００２】  従来より、洗濯物や物品などの盗難防止に関する警報器は様々なタイプがある。その一つとしては、物干しハンガーに吊り下げた下着などの洗濯物に紐を連結して通し、その紐の端部を屋内に配置される照明器具のスイッチ紐に連結した盗難防止手段の技術がある。（例えば、特許文献１参照）【０００３】  さらに警報器の回路構成が、配線の一部が遮断もしくは切断された場合、その異常を関知してブザーが鳴り、かつ所定時間後には鳴り止む構成とする前記警報器に、商品に繋いだ通電性の繋留紐を接続することにより、盗もうとした際にブザーが鳴ることで盗難を防止する技術がある。（例えば、特許文献２参照）
【特許文献１】実用新案公開昭和６２−１０４７８８公報（第３−７頁，図１
【特許文献２】実用新案公開昭和６３−２０２９５公報（第３−７頁，第２図）
【考案の開示】
【考案が解決しようとする課題】
【０００４】  上記する従来の盗難警報器において、実開昭６２−１０４７８８における技術は、物干しハンガーに吊り下げられた下着などの洗濯物それぞれに、一定の長さの紐を通して連結した紐端部を屋内の照明器具のスイッチ紐に連結することで、もし下着を盗まれそうになった場合は紐で連結しているので盗まれにくく、さらに強く引っ張られると照明器具のスイッチ紐が引っ張られて点灯するので、室内にいながら盗難を知り警察に通報できる盗難防止手段を備えたハンガーである。【０００５】  しかしこの技術は洗濯物に連結した紐を室内の照明器具のスイッチ紐に結ばなければならないが、ベランダや物干し場など屋外に吊り下げたハンガーから室内のスイッチ紐までは長い紐が必要である。加えて昼間は窓を開けることもあるが、盗難が多い夜間は窓を閉めているのが一般的であるため、肝心の紐を連結するには、壁などに専用の穴を設けて紐を通すなどしない限り使うことはできない。さらに連結紐を刃物などで切られた場合は、全く気が付かないなどの欠点や不便がある技術であった。【０００６】  次に実開昭６３−２０２９５は商品などの万引きを防止する技術として、警報器の配線の一部が遮断された場合、その異常信号により回路が作動してブザーが鳴り、かつ所定時間で鳴り止む構成とした前記回路の一部に、外部に延長して商品に連結できる通電性の繋留紐を組み合わせた盗難防止用商品繋留器であり、もし万引きにより商品に連結した繋留紐がコネクタから抜けたり切断されるとブザーが鳴る警報器であるが、この警報器は交流電源をを直流に変換する方式であるため、洗濯物を乾かす屋外など任意の場所では使えないので、使用する場所や目的が限定される技術である。加えてスイッチ操作部は警報器本体に設けられた構成であるため、窃盗者がスイッチを切ると肝心の警報器も作動しないなどの不便や欠点のある盗難防止器である。本考案は以上のような従来の警報器が持つ不便や欠点を解消することを目的とした盗難防止用警報器を提供する。
【課題を解決するための手段】
【０００７】  本考案は上記した目的を達成するために考案されたものであって、請求項１においては、ケース本体内に、電池とスイッチとブザーとともに、配線の一部が切断されると作動するコネクタ付きワンショット回路と、前記ブザーを作動させる発振回路が配線された回路部を納めた警報器のコネクタに、導線を内包する一定の長さの係留紐を組み合わせた警報器とし、その警報器の係留紐を洗濯物に連結することで、窃盗の際に係留紐が抜けたり切断されると自動的にブザーを鳴らして盗難を防止する警報器とする。【０００８】  請求項２においては、前記スイッチが、抜き差し可能なスイッチキーにより作動する構成にすることで、犯人がスイッチを任意に切ることができない盗難防止用警報器とする。
【考案の効果】
【０００９】  本考案による盗難防止用警報器は、回路構成における配線の一部が遮断された場合にブザーが鳴り、かつ一定時間で鳴り止む機能的な警報器において、前記配線に設けられたコネクタに通電性ある一定の長さの係留紐を接続し、その係留紐を洗濯物に通して連結するだけで簡単にセットすることができ、かつ電源は電池であるため物干し場など屋外の任意の場所でも使える。【００１０】  さらに警報器のスイッチ操作部は、別体のスイッチキーを用いる方式であるため、窃盗者が勝手に電源を切れない効果的な構成である。加えて、警報器は竿棒に吊り下げられるフックを備えるとともに、その外形はテルテル坊主形を成しているので一見しただけでは警報器として認知しにくく、かつ雨水や埃の侵入防止による故障要因を無く形を成すケースである。また取り付け部材を専用の物を用いると、他の物品の盗難防止や住居の不法侵入防止にも使える、シンプルにして機能的かつ安価に提供できる警報器である。
【考案を実施するための最良の形態】
【００１１】  警報器に連結された作動紐を洗濯物や物品に連結することで、盗難の際に紐が引き抜かれたり切断された場合に警報ブザーが鳴るとともに、窃盗者がスイッチを切れず、かつ所定時間経てば鳴り止む簡易な構成の盗難防止用警報器を構成する。
【実施例】
【００１２】  本考案の警報器を、図１に示す一部欠損した正面図と図２に示す底面図、図３に示す係留紐の要部を示す拡大正面図及び図４に示す基本回路ブロック図、並びに図５の警報器の使用例を示す参考図を参照しながら説明する。
本考案における警報器１は、屋外の任意の場所で使用できる電池２を電源とする警報器１である。まず上部に取り付け部材となるフック３を設けた略円錐形もしくはテルテル坊主形のケース本体４を形成し、そのケース本体４内に、電池２とスイッチ５とブザー６及びコネクタ７を有する回路部８を、前記回路部８を駆動するキー穴１０及び電池ケース蓋１１を設けた底蓋９に取り付け、その底蓋９を前記ケース本体４にネジ１２止めして成る警報器１に、両端部にジャック１３，１３を有し、かつ内部に通電性の導線１４を内包する一定の長さの係留紐１５と、前記回路部８を駆動させるスイッチキー１６を組み合わせて成る盗難防止用の警報器１を構成する。【００１３】  次に回路部８の基本回路及び作動経路を詳しく説明する。回路構成は、電池２の電源を操作するスイッチ５と、外部の係留紐１５が接続されるコネクタ７と、このコネクタ７部の遮断信号により作動し、かつ所定時間でブザーが切れるワンショット回路１７及び発振回路１８とブザー６とが配線された回路部８とし、その回路部８のコネクタ７に、導線１４を内包する一定の長さの係留紐１５のジャック１３が、前記コネクタ７に接続される回路構成とする。【００１４】  以上のような警報器１であり、この警報器１を洗濯物Ｂの盗難防止等に用いる場合は図５に示すような方法でセットする。まず竿棒に掛け吊したハンガーＡに下着などの洗濯物Ｂを挟み留め、その隣にスイッチキー１６をキー穴１０に差し込んで電源をＯＦＦしてなる本警報器１を掛け吊した後に、警報器１に接続される係留紐１５を、前記の洗濯物Ｂに順次通して連結したジャック１３を、警報器１のコネクタ７に接続してから電源ＯＮにしてセットすると、係留紐１５及び回路部８は通電状態となる。以上のように警報器１をセットした後に、窃盗者が洗濯物ＢをハンガーＡから取り外して持ち去ろうとすると、図５に示すように洗濯物Ｂに絡んだ係留紐１５のジャック１３が警報器１から抜けるか、もしくは係留紐１５を切断きれると、通電が遮断されることによるワンショット回路１７及び発振回路１８が作動して高音のブザー６を鳴らして盗難を防止するとともに、ワンショット回路１７の所定タイマーによりブザー６は一定時間で鳴り止む構成とする。【００１５】  本考案における警報器１は、洗濯物Ｂなどの盗難を防止するためにケース本体４を竿棒に吊り下げるフック３を取り付け部材とするが、他の取り付け部材として、壁や窓ガラスに取り付けられる取り付け金具や吸盤等を付設したタイプでも構わない。さらにスイッチ５の操作部は犯人が勝手に電源を切れないようにケース本体４に設けず、別体のスイッチキー１６で操作する方式が好ましいが、容易に分からないようにするならケース本体４に設けてもよい。またケース本体４の外形はテルテル坊主形にすることで警報器１と認識させにくい効果があるが、さらに布や毛糸素材などによる本物様のテルテル坊主カバーを組み合わせて一層飾り物のような形態にしても差し支えないものである。さらに電池ケース蓋１１は外側から簡単に電池２を交換しやすくしているが、窃盗者が容易に取り外せないように底蓋９のネジ１２を外さなくては交換できない方法でもよく、いずれも特に限定するものではない。
【産業上の利用可能性】
【００１６】  本考案における警報器は洗濯物の盗難防止を対象としているが、取り付け部材を専用の部材に取り替えたり係留紐の長さを延長することにより、他の商品や物品の盗難防止をはじめ、住居などへの侵入防止用警報器としても適用することができる。
【図面の簡単な説明】
【００１７】
【図１】本考案の警報器を示す一部欠損した正面図である。
【図２】警報器の底面図である。
【図３】警報器に接続される係留紐の要部を示す拡大正面図である。
【図４】警報器の基本回路ブロック図である。
【図５】本警報器の使用例を示す参考図である。
【符号の説明】
【００１８】  １  警報器
２  電池
３  フック
４  ケース本体
５  スイッチ
６  ブザー
７  コネクタ
８  回路部
９  底蓋
１０  キー穴
１１  電池ケース蓋
１２  ネジ
１３  ジャック
１４  導線
１５  係留紐
１６  スイッチキー
１７  ワンショット回路
１８  発振回路
Ａ  ハンガー
Ｂ  洗濯物
【図１】
0003106348.tif 000003
【図２】
0003106348.tif 000004
【図３】
0003106348.tif 000005
【図４】
0003106348.tif 000006
【図５】
0003106348.tif 000007